(57)【特許請求の範囲】
【請求項１】
無線基地局の位置を示す配信位置情報を含む配信情報を受信する受信手段と、
前記受信手段によって受信された前記配信情報を記憶する記憶手段と、
自端末の位置を示す自端末位置情報を取得する位置取得手段と、
前記受信手段によって受信された配信情報に含まれる前記配信位置情報と前記位置取得手段によって取得された前記自端末位置情報とによる第１の位置関係と、当該受信された配信情報より前に受信され前記記憶手段によって記憶された前記配信情報による前記配信位置情報と前記自端末位置情報とによる第２の位置関係とに基づいて、当該受信された前記配信情報を出力するか否かを決定する出力制御手段と、
前記出力制御手段によって出力すると決定された前記配信情報を出力する出力手段と、
を備える移動通信端末。
【請求項２】
無線基地局による配信範囲を示す配信範囲情報を含む配信情報を受信する受信手段と、
前記受信手段によって受信された前記配信情報を記憶する記憶手段と、
自端末の位置を示す自端末位置情報を取得する位置取得手段と、
前記受信手段によって受信された配信情報に含まれる前記配信範囲情報と前記位置取得手段によって取得された前記自端末位置情報とによる第１の位置関係と、当該受信された配信情報より前に受信され前記記憶手段によって記憶された前記配信情報による前記配信範囲情報と前記自端末位置情報とによる第２の位置関係とに基づいて、当該受信された前記配信情報を出力するか否かを決定する出力制御手段と、
前記出力制御手段によって出力すると決定された前記配信情報を出力する出力手段と、
を備える移動通信端末。
【請求項３】
前記出力制御手段は、前記受信手段によって前記無線基地局以外の移動通信端末から配信情報が受信された場合に前記決定を行う、請求項１又は２に記載の移動通信端末。
【請求項４】
前記配信情報には、当該配信情報を識別する識別情報が含まれ、
前記出力制御手段は、前記記憶手段によって記憶された配信情報のうち、前記受信手段によって受信された配信情報に含まれる識別情報に対応する識別情報を含む配信情報を、前記受信手段によって受信された配信情報を出力するか否かの決定に用いる、請求項１〜３の何れか一項に記載の移動通信端末。
【請求項５】
無線基地局の位置を示す配信位置情報を含む配信情報を出力する移動通信端末で実行される出力制御方法であって、
前記配信情報を受信する受信ステップと、
前記受信ステップによって受信された前記配信情報を記憶する記憶ステップと、
自端末の位置を示す自端末位置情報を取得する位置取得ステップと、
前記受信ステップによって受信された配信情報に含まれる前記配信位置情報と前記位置取得ステップによって取得された前記自端末位置情報とによる第１の位置関係と、当該受信された配信情報より前に受信され前記記憶ステップによって記憶された配信情報による配信位置情報と前記自端末位置情報とによる第２の位置関係とに基づいて、当該受信された前記配信情報を出力するか否かを決定する出力制御ステップと、
前記出力制御ステップによって出力すると決定された前記配信情報を出力する出力ステップと、
を含む出力制御方法。
【請求項６】
無線基地局による配信範囲を示す配信範囲情報を含む配信情報を出力する移動通信端末で実行される出力制御方法であって、
前記配信情報を受信する受信ステップと、
前記受信ステップによって受信された前記配信情報を記憶する記憶ステップと、
自端末の位置を示す自端末位置情報を取得する位置取得ステップと、
前記受信ステップによって受信された配信情報に含まれる前記配信範囲情報と前記位置取得ステップによって取得された前記自端末位置情報とによる第１の位置関係と、当該受信された配信情報より前に受信され前記記憶ステップによって記憶された配信情報による配信範囲情報と前記自端末位置情報とによる第２の位置関係とに基づいて、当該受信された前記配信情報を出力するか否かを決定する出力制御ステップと、前記出力制御ステップによって出力すると決定された前記配信情報を出力する出力ステップと、
を含む出力制御方法。
【発明の詳細な説明】
【技術分野】
【０００１】
本発明は、移動通信端末及び出力制御方法に関する。
【背景技術】
【０００２】
地震／津波発生時等の災害発生時に、例えば、ＣＢＳ（Cell Broadcast Service）方式により、無線基地局装置（ＢＴＳ／ｅＮｏｄｅＢ）から緊急速報（災害に関する情報）を移動体通信（モバイルネットワーク）により同報配信し、当該緊急速報を配信可能な範囲を示す配信エリア内に位置する端末（例えば、携帯電話等）が当該緊急速報を受信するサービスがある。この場合、配信エリア内の全ての端末が緊急速報を受信できることが望ましい。ただし、現状では地震／津波発生時等に端末が圏外エリア（例えば、トンネルや地下等の電波の届かない場所や無線基地局装置と無線基地局装置との間の場所）にいる場合においては無線基地局装置から配信された緊急速報を受信することができない。
【０００３】
そこで、無線基地局装置が緊急速報を配信するだけでなく、当該緊急速報を受信できた端末が、他の通信手段（例えば、アドホック通信）により周囲の端末へ緊急速報を転送することも考えられる（例えば、特許文献１参照）。
【０００４】
特許文献１に記載のシステムは、親車載端末と子車載端末とを含む。具体的に、親車載端末は、緊急地震速報の音声信号を緊急通信設備から受信すると、緊急信号（緊急速報）をブロードキャスト送信し、親車載端末は、緊急信号にホップ数（転送回数）及びホップ数の上限値を含めてブロードキャスト送信する。子車載端末は、当該緊急信号を受信すると、ホップ数及びホップ数の上限値を参照し、ホップ数が上限値に達していない場合、ホップ数をインクリメントして、当該子車載端末が、ホップ数及びホップ数の上限値と共に緊急信号をブロードキャスト送信する。
【先行技術文献】
【特許文献】
【０００５】
【特許文献１】特開２０１４−３２６０７号公報
【発明の概要】
【発明が解決しようとする課題】
【０００６】
しかしながら、端末間で情報を転送することとすると、本来情報を配信すべきでない場所に位置する端末にまで上記緊急速報が送信されてしまうおそれがあるある。例えば、移動体通信網で情報の配信を行う場合、基地局毎に配信する情報を変えることが考えられる。この場合、情報の転送が繰り返されることにより、例えば、当該基地局から遠く離れた、情報を配信すべきでない場所に位置する端末にも、情報が送信されてしまうおそれがある。また、複数配信エリアがオーバラップした位置に端末が位置している場合、各配信エリアの緊急速報を複数受信してしまうこともある。これらの結果、端末が誤報に繋がる情報を出力してしまう可能性があるという問題点がある。
【０００７】
上記の問題点を解決するために、緊急速報等の配信情報を受信した場合に、誤報に繋がる情報を出力してしまう可能性を低減する移動通信端末、及び出力制御方法を提供することを目的とする。
【課題を解決するための手段】
【０００８】
本発明に係る移動通信端末は、無線基地局の位置を示す配信位置情報を含む配信情報を受信する受信手段と、受信手段によって受信された配信情報を記憶する記憶手段と、自端末の位置を示す自端末位置情報を取得する位置取得手段と、受信手段によって受信された配信情報に含まれる配信位置情報と位置取得手段によって取得された自端末位置情報とによる第１の位置関係と、当該受信された配信情報より前に受信され記憶手段によって記憶された配信情報による配信位置情報と自端末位置情報とによる第２の位置関係とに基づいて、当該受信された配信情報を出力するか否かを決定する出力制御手段と、出力制御手段によって出力すると決定された配信情報を出力する出力手段と、を備える。
【０００９】
本発明に係る出力制御方法は、無線基地局の位置を示す配信位置情報を含む配信情報を出力する移動通信端末で実行される出力制御方法であって、配信情報を受信する受信ステップと、受信ステップによって受信された配信情報を記憶する記憶ステップと、自端末の位置を示す自端末位置情報を取得する位置取得ステップと、受信ステップによって受信された配信情報に含まれる配信位置情報と位置取得ステップによって取得された自端末位置情報とによる第１の位置関係と、当該受信された配信情報より前に受信され記憶ステップによって記憶された配信情報による配信位置情報と自端末位置情報とによる第２の位置関係とに基づいて、当該受信された配信情報を出力するか否かを決定する出力制御ステップと、出力制御ステップによって出力すると決定された配信情報を出力する出力ステップと、を含む。
【００１０】
このような本発明に係る移動通信端末及び出力制御方法によれば、配信情報に含まれる配信位置情報と位置取得手段によって取得された自端末位置情報との間の位置関係と、記憶手段によって記憶された配信情報に含まれる配信位置情報と当該自端末位置情報との間の位置関係に基づいて、配信情報を出力するか否かを決定するので、緊急速報等の配信情報を複数の装置から受信した場合に誤報に繋がる情報を出力してしまう可能性を低減することができる。
【００１１】
別の観点における本発明に係る移動通信端末は、受信手段によって受信された配信情報を記憶する記憶手段と、自端末の位置を示す自端末位置情報を取得する位置取得手段と、受信手段によって受信された配信情報に含まれる配信範囲情報と位置取得手段によって取得された自端末位置情報とによる第１の位置関係と、当該受信された配信情報より前に受信され記憶手段によって記憶された配信情報による配信範囲情報と自端末位置情報とによる第２の位置関係とに基づいて、当該受信された配信情報を出力するか否かを決定する出力制御手段と、出力制御手段によって出力すると決定された配信情報を出力する出力手段と、を備える。
【００１２】
別の観点における本発明に係る出力制御方法は、無線基地局による配信範囲を示す配信範囲情報を含む配信情報を出力する移動通信端末で実行される出力制御方法であって、配信情報を受信する受信ステップと、受信ステップによって受信された配信情報を記憶する記憶ステップと、自端末の位置を示す自端末位置情報を取得する位置取得ステップと、受信ステップによって受信された配信情報に含まれる配信範囲情報と位置取得ステップによって取得された自端末位置情報とによる第１の位置関係と、当該受信された配信情報より前に受信され記憶ステップによって記憶された配信情報による配信範囲情報と自端末位置情報とによる第２の位置関係とに基づいて、当該受信された配信情報を出力するか否かを決定する出力制御ステップと、出力制御ステップによって出力すると決定された配信情報を出力する出力ステップと、を含む。
【００１３】
このような本発明に係る移動通信端末及び出力制御方法によれば、配信情報に含まれる配信範囲情報と位置取得手段によって取得された自端末位置情報との間の位置関係と、記憶手段によって記憶された配信情報に含まれる配信範囲情報と当該自端末位置情報との間の位置関係に基づいて、配信情報を出力するか否かを決定するので、緊急速報等の配信情報を複数の装置から受信した場合に誤報に繋がる情報を出力してしまう可能性を低減することができる。
【００１４】
本発明に係る移動通信端末における出力制御手段は、受信手段によって無線基地局以外の移動通信端末から配信情報が受信された場合に決定を行うようにしてもよい。この場合、緊急速報等の配信情報を端末間で転送する場合に誤報に繋がる情報を出力してしまう可能性を低減することができる。
【００１５】
本発明に係る移動通信端末は、配信情報には、当該配信情報を識別する識別情報が含まれ、出力制御手段は、記憶手段によって記憶された配信情報のうち、受信手段によって受信された配信情報に含まれる識別情報に対応する識別情報を含む配信情報を、受信手段によって受信された配信情報を出力するか否かの決定に用いるようにしてもよい。この場合、受信した配信情報の識別情報と、対応する識別情報を有する過去の配信情報の位置情報を用いて位置関係を比較するので、共通する識別情報を有する配信情報でも無線基地局によって、配信情報の内容が異なる場合に信頼度の高い情報を出力させることができる。
【発明の効果】
【００１６】
本発明によれば、緊急速報等の配信情報を受信した場合に、誤報に繋がる情報を出力してしまう可能性を低減することができる。
【図面の簡単な説明】
【００１７】
【図１】情報配信システムの概要を説明する図である。
【図２】端末２のブロック図である。
【図３】端末２のハードウェア構成を示す図である。
【図４】受信履歴情報のデータ例を示す図である。
【図５】端末２による配信情報出力処理のフローチャートである。
【図６】端末２と配信範囲の外周との位置関係に基づいて判断する例を示す図である。
【発明を実施するための形態】
【００１８】
以下、添付図面を参照して、本発明に係る実施形態について詳細に説明する。なお、図面の説明において同一又は相当要素には同一符号を付し、重複する説明は省略する。
【００１９】
図１を用いて本実施形態に係る端末を含む情報配信システムを説明する。図１に示されるように、情報配信システムは、無線基地局であるｅＮｏｄｅＢ１（ｅＮｏｄｅＢ１Ａ、ｅＮｏｄｅＢ１Ｂ）と携帯電話等の移動通信端末である端末２（端末２Ａ、端末２Ｂ、端末２Ｃ、端末２Ｄ、端末２Ｅ）とを含む。本発明では、配信情報の発信源を無線基地局とする。
【００２０】
ここで、配信情報は、例えば、災害に関する情報を含む情報であり、音声データである。本実施形態では、災害に関する情報として地震に関する情報（震度を示す情報）を含むものとする。配信情報には、地震を識別する情報（災害を識別する情報）である地震ＩＤ（識別情報）、震度を示す震度情報と、ｅＮｏｄｅＢ１の位置を示す情報（例えば、ｅＮｏｄｅＢ１の緯度経度情報）である配信位置情報と、ｅＮｏｄｅＢ１が配信する範囲を示すエリアの識別情報であるエリア情報と、とが含まれる。配信情報は、同一地震においてエリア毎に生成される。この場合、上記それぞれの配信情報に含まれる地震ＩＤが同一となるように生成される。すなわち、地震ＩＤは、配信情報の集合を識別する情報となる。
【００２１】
ｅＮｏｄｅＢ１は、移動体通信網において無線基地局の機能を備える機能要素である。ｅＮｏｄｅＢ１は、一以上のＣＰＵを含む一以上の物理的な筐体（サーバ機器等）によって構成される。図示しないＭＭＥからｅＮｏｄｅＢ１へ配信情報が送信されると、ｅＮｏｄｅＢ１は、配信情報を受信する。ｅＮｏｄｅＢ１は、配信情報を受信すると、ｅＮｏｄｅＢ１が配信可能な範囲である配信範囲（ｅＮｏｄｅＢ１が発信する移動体通信の電波が届く範囲）に移動体通信により、当該範囲へ当該配信情報を電波によりブロードキャスト送信する。これにより、上記範囲に位置する端末２は、配信情報を受信することができる。
【００２２】
端末２は、ｅＮｏｄｅＢ１から配信情報を受信し、当該配信情報に含まれる震度情報に基づいて自端末で鳴動する。そして、端末２は、受信した配信情報を周囲の他の端末２へ音波により直接転送する。音波による送信は、従来技術を用いて実現できる。なお、端末２は、音波で音声データを転送する際、相手の端末２を特定する必要はなく、音波が届けばよい。音波による送信では、送信元の端末２から数十ｍの距離までの範囲に位置する他の端末２へ音声データである配信情報を送信することができる。
【００２３】
例えば、端末２ＡがｅＮｏｄｅＢ１Ａから配信情報（地震ＩＤが「Ａ」、エリアが「Ｘ」、震度情報が「６弱」）を受信すると、端末２Ａは、当該配信情報を周辺に転送する。端末２Ａの周辺に位置している端末２Ｂは、端末２Ａから転送された配信情報を直接受信する。端末２Ｂは、ｅＮｏｄｅＢ１の配信範囲（エリアＸ）に位置しているが、電波の届きにくい範囲（圏外エリア）に位置しているものとする。圏外エリアの例としては、複数のｅＮｏｄｅＢ１の間に位置する場所であり、且ついずれのｅＮｏｄｅＢ１の圏内に位置しない場所や、ｅＮｏｄｅＢ１の配信範囲内であるが、トンネルや地下等電波が届きにくい場所が該当する。この場合、端末２Ｂは、圏外エリアに位置しているため、ｅＮｏｄｅＢ１から配信情報を受信できないが、端末２Ａから配信情報を受信することにより、配信情報に基づき自端末で鳴動処理をすることができる。このように、ｅＮｏｄｅＢ１から受信できない配信情報を他の端末２から受信することができるので、圏外エリアに位置する端末２であっても、ｅＮｏｄｅＢ１から送信された配信情報を出力することができる。よって、圏外エリアに位置する端末２のユーザに適切な避難行動を促すことができる。
【００２４】
また、他の端末２によって転送された配信情報を受信した端末２は、周囲の端末２へ当該配信情報を転送する。例えば、ｅＮｏｄｅＢ１Ｂが、当該ｅＮｏｄｅＢ１Ｂの配信範囲（エリアＹ）に配信情報（地震ＩＤが「Ａ」、エリアが「Ｙ」、震度情報が「５強」）をブロードキャストで送信すると、当該エリアＹの範囲内に位置する端末２Ｅが当該配信情報を受信する。そして、端末２Ｅが当該配信情報を、当該端末２Ｅ周辺に位置する端末２へ転送する。端末２Ｅ周辺に位置する端末２Ｄが、当該配信情報を受信し、さらに当該配信情報を周囲に転送する。このように、端末２Ｄから端末２Ｃ、端末２Ｂへと配信情報が転送される。従って、エリアＸのエリアに位置する端末２Ｂでも、ｅＮｏｄｅＢ１ＢによってエリアＹに送信された配信情報が転々と転送された後に端末２Ｂへ転送される。なお、配信範囲であるエリアＸ及びエリアＹは、セクタ領域（なお、セクタ領域を複数含めたセル領域でもよい）である。このように、端末間で配信情報を転送するため、端末２が位置しているエリアに隣接するエリアに配信された配信情報を受信することがある。上述の例の場合、仮に無条件で受信した配信情報に基づいて出力をしてしまうと、端末２Ｂは、端末２ＢのユーザへエリアＸの震度情報に基づく通知をした後に、端末２ＢのユーザへエリアＹの震度情報に基づく通知をすることになる。よって、同一の地震に基づいた、異なる複数の情報を出力してしまうことになり、誤報に繋がる情報を出力してしまう可能性がある。そこで、端末２は、誤報に繋がる情報か否かを判断した上で、受信した配信情報の出力処理（鳴動処理、転送処理）をする。
【００２５】
続いて、図２に示されるブロック図を用いて、端末２の各機能要素について説明する。端末２は、受信部２１（受信手段）、記憶部２２（記憶手段）、出力制御部２３（出力制御手段）、位置取得部２４（位置取得手段）、鳴動部２５（出力手段）、及び転送部２６（出力手段）を有する。
【００２６】
また、図３は、端末２のハードウェア構成を示すブロック図である。端末２は、図３に示されるように、一以上のＣＰＵ１０１と、主記憶装置であるＲＡＭ１０２及びＲＯＭ１０３と、入力装置１０４と、出力装置１０５と、無線通信を行うための無線通信モジュール１０６と、音波により音声データの送受信をする音波通信モジュール１０７と、ハードディスクドライブ及び半導体メモリ等の補助記憶装置１０８と、ＧＰＳ（Global Positioning System）信号を受信するＧＰＳ受信機１０９とを含むコンピュータシステムとして構成されている。
【００２７】
端末２の各機能は、ＣＰＵ１０１、ＲＡＭ１０２等のハードウェア上に所定のソフトウェアを読み込ませることにより、ＣＰＵ１０１の制御のもとで、入力装置１０４、出力装置１０５、無線通信モジュール１０６、音波通信モジュール１０７、補助記憶装置１０８、及びＧＰＳ受信機１０９を動作させると共に、ＲＡＭ１０２におけるデータの読出し及び書き込みを行うことで実現される。
【００２８】
受信部２１は、ｅＮｏｄｅＢ１から無線によって送信された、当該ｅＮｏｄｅＢ１の位置を示す情報である配信位置情報を含む配信情報を、当該ｅＮｏｄｅＢ１又は当該ｅＮｏｄｅＢ１以外の端末２から無線（音波、電波）によって直接受信する部分である。
【００２９】
受信部２１は、ｅＮｏｄｅＢ１によってブロードキャスト送信された配信情報を受信する。また、受信部２１は、自端末周辺の端末２から転送された音声データの配信情報を受信する。また、受信部２１は、受信した配信情報をｅＮｏｄｅＢ１及び自端末周辺の端末２の何れから受信したのかを判断する。具体的には、受信部２１は、ｅＮｏｄｅＢ１が電波により配信情報を送信するので、電波により配信情報を受信した場合、ｅＮｏｄｅＢ１から配信情報を受信したと判断する。また、受信部２１は、自端末周辺の端末２が音波により配信情報を送信するので、音波により配信情報を受信した場合、自端末周辺の端末２から配信情報を受信したと判断する。
【００３０】
受信部２１は、ｅＮｏｄｅＢ１又は自端末周辺の端末２から配信情報を受信すると、配信情報を記憶部２２へ送出する。また、受信部２１は、受信した配信情報をｅＮｏｄｅＢ１及び自端末周辺の端末２の何れから受信したのかを判断した結果を出力制御部２３へ送出する。出力制御部２３は、当該判断した結果を参照して、ｅＮｏｄｅＢ１及び自端末周辺の端末２の何れから配信情報を受信したのかを判断する。
【００３１】
記憶部２２は、受信部２１によって受信された配信情報を記憶する部分である。記憶部２２は、受信部２１から配信情報を受け取ると、当該配信情報に含まれる地震ＩＤ、配信位置情報と、エリア情報と、震度情報と共に、端末２が記憶している情報の通番（配信情報を記憶する度に一意に付される番号）を、受信履歴情報として記憶手段（例えば、補助記憶装置１０８）へ記憶する。例えば、記憶部２２は、受信部２１から配信情報を受け取る度に受信履歴情報をデータベース化して記憶する。
【００３２】
記憶部２２が記憶している受信履歴情報のデータベースを図４に示す。図４に示すように、通番、地震ＩＤ、位置情報（配信位置情報）、エリア情報、及び震度情報を含む受信履歴情報を記憶している。通番が１である受信履歴情報に含まれる地震ＩＤと、通番が２である受信履歴情報に含まれる地震ＩＤとが「Ａ」であるので同一であるが、通番が１である受信履歴情報に含まれる位置情報と、通番が２である受信履歴情報に含まれる位置情報とが異なる。これは、配信情報の発信源となるｅＮｏｄｅＢ１がそれぞれ異なることを意味する。
【００３３】
記憶部２２は、受信部２１によって新たに受信された配信情報に基づいた受信履歴情報を記憶した後に、当該配信情報を出力制御部２３へ送出する。
【００３４】
出力制御部２３は、受信部２１によってｅＮｏｄｅＢ１以外の端末２から配信情報が新たに受信された場合、当該配信情報に含まれる配信位置情報と自端末位置情報とによる第１の位置関係と、当該受信された配信情報より前に受信され記憶部２２によって記憶された配信情報による配信位置情報と自端末位置情報とによる第２の位置関係とに基づいて、当該受信された配信情報を出力するか否かを決定する部分である。ここで、第１の位置関係とは、受信部２１によって受信された配信情報に含まれる配信位置情報によって示される位置と自端末の位置情報である自端末位置情報によって示される位置との間の位置関係をいう。また、第２の位置関係とは、上記新たに受信された配信情報より前に記憶部２２によって記憶された配信情報に含まれる配信位置情報によって示される位置と当該自端末位置情報によって示される位置との間の位置関係をいう。なお、出力制御部２３は、ｅＮｏｄｅＢ１から配信情報が新たに受信された場合には、上記の２つの位置関係に基づいて当該受信された配信情報を出力するか否かを決定することなく、新たに受信された配信情報を出力する。
【００３５】
また、出力制御部２３は、記憶部２２によって記憶された受信履歴情報のうち、新たに受信された配信情報に含まれる地震ＩＤと同一の地震ＩＤを含む配信情報を、新たに受信された配信情報を出力するか否かの決定に用いる。
【００３６】
具体的に、出力制御部２３は、まず受信部２１から受け取った判断結果（受信した配信情報をｅＮｏｄｅＢ１及び自端末周辺の端末２の何れから受信したのかを判断した結果）を参照する。出力制御部２３は、参照した結果、自端末周辺の端末２から配信情報を新たに受信したと判断した場合には、以下のように、上述した２つの位置関係に基づいて、当該受信された配信情報を出力するか否かを決定する。
【００３７】
出力制御部２３は、記憶部２２から配信情報を受け取ると、当該受け取った配信情報に含まれる地震ＩＤと同一の地震ＩＤを含む受信履歴情報があるか否かを判断する。なお、出力制御部２３は、そのときに受け取った配信情報を上記判断対象から外す。すなわち、出力制御部２３は、受信直後の配信情報を上記判断対象としないようにする。
【００３８】
出力制御部２３は、受け取った配信情報に含まれる地震ＩＤと同一の地震ＩＤを含む受信履歴情報がある場合、位置取得部２４へ端末２の位置情報（自端末位置情報）の取得要求をする。出力制御部２３は、位置取得部２４から端末２の位置情報を取得すると、端末２の位置情報と、受け取った配信情報に含まれるｅＮｏｄｅＢ１の位置を示す情報とを用いて、端末２の位置から当該ｅＮｏｄｅＢ１の位置までの距離（新たに受信した配信情報の発信源から端末２までの距離）を算出する。また、出力制御部２３は、端末２の位置情報と、受け取った配信情報に含まれる地震ＩＤと同一の地震ＩＤを含む受信履歴情報に含まれるｅＮｏｄｅＢ１の位置を示す情報とを用いて、端末２の位置から当該ｅＮｏｄｅＢ１の位置までの距離（過去に受信した配信情報の発信源から端末２までの距離）を算出する。
【００３９】
出力制御部２３は、新たに受信した配信情報の発信源から端末２までの距離と、過去に受信した配信情報の発信源から端末２までの距離とを比較して、新たに受信した配信情報の発信源から端末２までの距離の方が短い場合、受信部２１によって新たに受信された配信情報を鳴動部２５と、転送部２６とへ送出すると共に、鳴動部２５へ鳴動指示を送出し、転送部２６へ転送指示を送出する。なお、出力制御部２３は、ｅＮｏｄｅＢ１から配信情報が直接新たに受信された場合にも、受信部２１によって新たに受信された配信情報を鳴動部２５と、転送部２６とへ送出すると共に、鳴動部２５へ鳴動指示を送出し、転送部２６へ転送指示を送出する。このように、出力制御部２３は、鳴動部２５に対して、当該配信情報を用いた鳴動処理をさせると共に、転送部２６に対して、当該配信情報を用いた転送処理をさせる。
【００４０】
また、出力制御部２３は、新たに受信した配信情報の発信源から端末２までの距離と、過去に受信した配信情報の発信源から端末２までの距離とを比較して、新たに受信した配信情報の発信源から端末２までの距離が、過去に受信した配信情報の発信源から端末２までの距離より長い場合、受信部２１によって新たに受信された配信情報を鳴動部２５と、転送部２６とへ送出しない。すなわち、出力制御部２３は、受信部２１によって新たに受信された配信情報の鳴動及び転送を抑止する。
【００４１】
また、出力制御部２３は、受け取った配信情報に含まれる地震ＩＤと同一の地震ＩＤを含む受信履歴情報がない場合、受信部２１によって新たに受信された配信情報を鳴動部２５と、転送部２６とへ送出する。
【００４２】
位置取得部２４は、自端末の位置を示す自端末位置情報を取得する部分である。位置取得部２４は、出力制御部２３から自端末の位置情報の取得要求を受け付けると、ＧＰＳ衛星から発信されるＧＰＳ信号を受信して、当該ＧＰＳ信号を用いて、公知の測位処理をして自端末の位置情報（例えば、自端末の位置を示す緯度経度の情報）を算出する。位置取得部２４は、算出した自端末の位置情報を出力制御部２３へ送出する。
【００４３】
鳴動部２５は、新たに受信した配信情報の内容を鳴動処理により出力する部分である。鳴動部２５は、配信情報に基づく鳴動処理として、配信情報に含まれる震度情報に基づいた音声出力や、配信情報を受け付けた旨の音声通知を行う。鳴動部２５は、出力制御部２３から配信情報と共に鳴動指示を受け取ると、当該配信情報に基づく鳴動処理を行う。
【００４４】
転送部２６は、新たに受信した配信情報の内容を他の端末２へ転送することにより出力する部分である。転送部２６は、出力制御部２３から配信情報と共に転送指示を受け取ると、音声データである配信情報を音波で転送する。
【００４５】
続いて、図５のフローチャートを用いて、本実施形態に係る端末２で実行される処理及び動作を説明する。図５に記載のフローチャートは、ｅＮｏｄｅＢ１又は周囲の端末２から新たに受信した配信情報に含められる地震ＩＤと同一の地震ＩＤを含む配信情報を過去に受信していた場合における配信情報の出力制御する処理（出力制御方法）を示すフローチャートである。前提として、処理開始時に記憶している受信履歴情報は無いものとする。
【００４６】
まず、ｅＮｏｄｅＢ１又は周囲の端末２によって、配信情報が送信・転送されると、受信部２１が、ｅＮｏｄｅＢ１又は周囲の端末２から配信情報（１通目の配信情報）を新たに受信し（ステップＳ１  受信ステップ）、当該配信情報を記憶部２２へ送出する。記憶部２２は、受信部２１が受信した配信情報を記憶し、当該配信情報を出力制御部２３へ送出する（ステップＳ２  記憶ステップ）。
【００４７】
出力制御部２３は、受信部２１が新たに受信した配信情報（記憶部２２から受け取った配信情報）に含まれる地震ＩＤと同一の地震ＩＤを有する配信情報が記憶されているか否かを判断する。この時点では、記憶部２２は、受信部２１が受信した配信情報に含まれる地震ＩＤと同一の地震ＩＤを有する配信情報（受信部２１が新たに受信した配信情報に基づく受信履歴情報は除く）を記憶していないので、出力制御部２３は、受信部２１が新たに受信した配信情報（記憶部２２から受け取った配信情報）に含まれる地震ＩＤと同一の地震ＩＤを有する配信情報が記憶されていないと判断する。そこで、出力制御部２３は、受信部２１が受信した配信情報を鳴動部２５へ送出すると共に鳴動指示を鳴動部２５へ通知することにより鳴動部２５に鳴動させる。鳴動部２５は、これに応じて当該配信情報に基づく鳴動処理を行う（ステップＳ３  出力ステップ）。
【００４８】
また、出力制御部２３は、転送部２６に配信情報を送出すると共に転送指示を転送部２６へ通知することにより当該配信情報を転送させる。転送部２６は、これに応じて当該配信情報の転送処理を行う（ステップＳ４  出力ステップ）。
【００４９】
続いて、受信部２１が、周囲の端末２から配信情報（２通目の配信情報）を受信する（ステップＳ５  受信ステップ）と、当該配信情報を記憶部２２へ送出する。記憶部２２は、受信部２１が受信した配信情報を記憶する（ステップＳ６  記憶ステップ）。
【００５０】
出力制御部２３は、受信部２１が受信した配信情報に含まれる地震ＩＤと同一の地震ＩＤを有する配信情報が記憶されているか判断する（ステップＳ７）。
【００５１】
ステップＳ７の判断により、受信部２１が受信した配信情報に含まれる地震ＩＤと同一の地震ＩＤを有する配信情報が記憶されていない場合（ステップＳ７；Ｎｏ）、出力制御部２３は、受信部２１が受信した配信情報と、鳴動指示とを鳴動部２５へ送出する。鳴動部２５は、これに応じて当該配信情報に基づく鳴動処理を行う（ステップＳ１１  出力ステップ）。
【００５２】
また、出力制御部２３は、受信部２１が受信した配信情報と、転送指示を転送部２６に送出する。転送部２６は、これに応じて当該配信情報の転送処理を行う（ステップＳ１２  出力ステップ）。
【００５３】
ステップＳ７の判断により、受信部２１が受信した配信情報に含まれる地震ＩＤと同一の地震ＩＤを有する配信情報が記憶されている場合（ステップＳ７；Ｙｅｓ）、出力制御部２３は、位置取得部２４に自端末の位置情報の取得要求をする。位置取得部２４は、これに応じて端末位置情報を取得する（ステップＳ８  位置取得ステップ）。出力制御部２３は、新たに受信した配信情報の発信源から端末２までの距離と、過去に受信した配信情報の発信源から端末２までの距離とを比較して、新たに受信した配信情報の発信源から端末２までの距離の方が短い場合（ステップＳ９；Ｎｏ  出力制御ステップ)、出力制御部２３は、受信部２１が受信した配信情報と鳴動指示とを鳴動部２５に送出し、受信部２１が受信した配信情報と転送指示とを転送部２６に送出する。これに応じて、鳴動部２５が当該配信情報に基づく鳴動処理を行い（ステップＳ１１  出力ステップ）、転送部２６が当該配信情報の転送処理を行う（ステップＳ１２  出力ステップ）。
【００５４】
出力制御部２３は、新たに受信した配信情報の発信源から端末２までの距離と、過去に受信した配信情報の発信源から端末２までの距離とを比較して、新たに受信した配信情報の発信源から端末２までの距離が、過去に受信した配信情報の発信源から端末２までの距離より長い場合（ステップＳ９；ＹＥＳ  出力制御ステップ）、受信部２１によって受信された配信情報に基づく鳴動処理・転送処理を抑止して（ステップＳ１０  出力制御ステップ）、処理を終了する。
【００５５】
上述のように、配信情報に含まれる配信位置情報によって示される位置と位置取得部２４によって取得された自端末位置情報によって示される位置との間の位置関係と、記憶部２２によって記憶された配信情報に含まれる配信位置情報によって示される位置と当該自端末位置情報によって示される位置との間の位置関係に基づいて、配信情報を出力するか否かを決定するので、緊急速報等の配信情報を受信した場合に、誤報に繋がる情報を出力してしまう可能性を低減することができる。
【００５６】
例えば、端末間で配信情報を転送するため、端末２が位置しているエリアに隣接するエリアに配信された配信情報を受信することがあり、遠く離れた場所（例えば、隣接セル、隣接セクタ）で配信された情報であると、正確度が低くなり、誤報となる可能性がある。しかし、上述のように、配信情報に含まれる配信位置情報によって示される位置と位置取得手段によって取得された自端末位置情報によって示される位置との間の位置関係と、記憶手段によって記憶された配信情報に含まれる配信位置情報によって示される位置と当該自端末位置情報によって示される位置との間の位置関係に基づいて、配信情報を出力するか否かを決定するので、誤報に繋がる情報を出力することを防止することができる。すなわち、異なるエリアの配信情報を受信した場合、発信源の位置を示す配信位置情報と自端末の位置を示す端末位置情報とにより算出した距離を用いて、誤報に繋がる情報を出力することを抑止するので、最適な情報に絞って出力することができる。
【００５７】
また、端末２は、配信情報には、当該配信情報の集合を識別する地震ＩＤを含み、出力制御部２３は、記憶部２２によって記憶された配信情報のうち、受信された配信情報に含まれる地震ＩＤと同一の地震ＩＤを含む配信情報を、受信された配信情報を出力するか否かの決定に用いる。
【００５８】
この場合、受信した配信情報の地震ＩＤと、同一の地震ＩＤを有する過去の配信情報の位置情報を用いて位置関係を比較するので、共通する地震ＩＤを有する配信情報でもｅＮｏｄｅＢ１によって、配信情報の内容が異なる場合に信頼度の高い情報を出力させることができる。
【００５９】
また、端末２は、受信部２１によって新たに受信された配信情報を他の端末に転送する。この場合、配信情報に含まれる配信位置情報によって示される位置と位置取得部２４によって取得された自端末位置情報によって示される位置との間の位置関係と、記憶部２２によって記憶された配信情報に含まれる配信位置情報によって示される位置と当該自端末位置情報によって示される位置との間の位置関係に基づいて、配信情報を他の端末２へ転送するか否かを決定する。これにより、例えば、端末２の位置と配信情報のｅＮｏｄｅＢ１の位置とが遠い場合に、他の端末に配信情報を転送してしまうことを未然に防止することができる。
【００６０】
上述の実施形態では、記憶部２２によって記憶された配信情報のうち、受信された配信情報に含まれる地震ＩＤと同一の地震ＩＤを含む配信情報を、受信された配信情報を出力するか否かの決定に用いる場合について述べたが、記憶部２２によって記憶された配信情報のうち、受信された配信情報に含まれる地震ＩＤに対応する地震ＩＤを含む配信情報を、受信された配信情報を出力するか否かの決定に用いるようにしてもよい。新たに受信された配信情報に含まれる地震ＩＤに対応する地震ＩＤの例としては、新たに受信された配信情報に含まれる地震ＩＤの一部が一致する地震ＩＤが該当する。この場合、地震ＩＤは、対応する個々の配信情報に一意に対応付けられたものであってもよい。
【００６１】
また、上述の実施形態では、位置取得部２４が、ＧＰＳ信号に基づいて自端末の位置を取得する場合について述べたが、他の方法により位置を取得するようにしてもよい。例えば、位置が固定され、自装置の位置情報を記憶している装置と端末２とが近距離無線通信可能である場合、位置取得部２４は、近距離無線通信により、上記装置から当該装置の位置情報を取得するようにしてもよい。例えば、建物内や地下街等の屋内に配置されたビーコン端末等から発信される情報を取得し、当該情報を基にして位置情報を算出してもよい。また、上述のＧＰＳは、ＧＬＯＮＡＳＳやＧＡＬＩＬＥＯ等を含むＧＮＳＳ（Global Navigation Satellite System）でもよい。
【００６２】
また、上述の実施形態では、位置取得部２４が、出力制御部２３からの自端末位置情報の取得要求に応じて測位した結果を自端末位置情報として出力制御部２３へ送出する場合について述べたが、自端末位置情報の取得要求に応じて、測位しなくてもよい。例えば、位置取得部２４が定期的に測位している場合、出力制御部２３からの自端末位置情報の取得要求時における、直近の測位結果を自端末位置情報として出力制御部２３へ送出するようにしてもよい。
【００６３】
上述の実施形態では、端末２が音波により配信情報を転送する場合について述べたが、音波以外の無線波を用いて転送するようにしてもよい。
【００６４】
上述の実施形態では、ｅＮｏｄｅＢ１が、配信情報を配信する場合について述べたが、３Ｇネットワークにおける無線基地局装置（ＢＴＳ（Base Transceiver Station））が配信情報を配信してもよい。
【００６５】
上述の実施形態では、災害に関する情報として地震に関する情報を配信情報に含める場合について述べたが、津波等の別の災害の情報を災害に関する情報として含めるようにしてもよい。例えば、津波に関する情報（例えば、大津波警報、津波警報、津波注意報等の災害の重要度を示す情報）を含めた配信情報として、ｅＮｏｄｅＢ１及び他の端末２が送信する場合にも、端末２は、本実施形態と同様の動作をすることとしてもよい。
【００６６】
また、上述の実施形態のように、音波で情報伝達する場合（すなわち、端末２間で通信する場合）だけでなく、ｅＮｏｄｅＢ１から配信情報を受信した場合に、配信情報に含まれる配信位置情報によって示される位置と位置取得部２４によって取得された自端末位置情報によって示される位置との間の位置関係と、記憶部２２によって記憶された配信情報に含まれる配信位置情報によって示される位置と当該自端末位置情報によって示される位置との間の位置関係に基づいて、配信情報を出力するか否かを決定するようにしてもよい。
【００６７】
上述の実施形態では、配信情報に含まれる配信位置情報によって示される位置と位置取得部２４によって取得された自端末位置情報によって示される位置との間の位置関係と、記憶部２２によって記憶された配信情報に含まれる配信位置情報によって示される位置と当該自端末位置情報によって示される位置との間の位置関係に基づいて、配信情報を出力するか否かを決定する場合について述べた。上述の実施形態とは別に、ｅＮｏｄｅＢ１による送信範囲である配信範囲（ｅＮｏｄｅＢ１が配信情報を配信する範囲である配信範囲）を示す情報（配信範囲情報）に基づいて、配信情報を出力するか否かを決定するようにしてもよい。即ち、受信された配信情報に含まれる配信位置情報によって示される配信範囲と位置取得部２４によって取得された自端末位置情報によって示される位置との間の位置関係と、記憶部２２によって記憶された配信情報に含まれる配信位置情報によって示される配信範囲と当該自端末位置情報によって示される位置との間の位置関係とに基づいて、配信情報を出力するか否かを決定するようにしてもよい。ここで、配信範囲を示す情報は、例えば、ｅＮｏｄｅＢ１の位置を示す情報（上述した実施形態と同様の情報）と、当該配信範囲の半径を示す情報とを含む。すなわち、配信範囲情報は、配信位置情報と、配信範囲の大きさ（配信範囲の半径）を示す情報とを含む情報である。
【００６８】
端末２が、配信元のｅＮｏｄｅＢ１の配信範囲に基づいて、配信情報を出力するか否かを判断する例について図６を用いて説明する。ｅＮｏｄｅＢ１Ａの配信範囲（位置Ｐ１と半径Ｌ２とに基づく範囲）が、ｅＮｏｄｅＢ１Ｂの配信範囲（位置Ｐ２と半径Ｌ６とに基づく範囲）より広いものとする。また、ｅＮｏｄｅＢ１Ａの位置Ｐ１から端末２Ｂまでの距離である距離Ｌ１は、ｅＮｏｄｅＢ１Ｂの位置Ｐ２から端末２Ｂまでの距離である距離Ｌ４より長いものとする。また、距離Ｌ１から、ｅＮｏｄｅＢ１Ａの配信範囲の半径Ｌ２を引いた値であり、端末２ＢからｅＮｏｄｅＢ１Ａの配信範囲の外周までの距離である距離Ｌ３は、距離Ｌ５（距離Ｌ４から、ｅＮｏｄｅＢ１Ｂの配信範囲の半径Ｌ６を引いた値であり、端末２ＢからｅＮｏｄｅＢ１Ｂの配信範囲の外周までの距離）より短いものとする。
【００６９】
ｅＮｏｄｅＢ１は、配信情報として、地震ＩＤ、配信位置情報（例えば、ｅＮｏｄｅＢ１Ａであれば、位置Ｐ１を示す情報）と、エリア情報と、震度情報とに加えて、配信範囲の半径を示す情報（例えば、ｅＮｏｄｅＢ１Ａであれば、半径Ｌ２を示す情報）を配信する。
【００７０】
最初に、ｅＮｏｄｅＢ１Ａが配信情報を配信すると、当該ｅＮｏｄｅＢ１Ａの配信範囲内に位置する端末２が当該配信情報を受信する。そして、当該端末２から転送され、端末２Ｂの受信部２１がｅＮｏｄｅＢ１Ａから配信された配信情報を受信する。端末２Ｂは、受信した配信情報を含めた受信履歴情報を記憶部２２へ記憶する。続いて、ｅＮｏｄｅＢ１Ｂが配信情報を配信すると、当該ｅＮｏｄｅＢ１Ｂの配信範囲内に位置する端末２が当該配信情報を受信する。そして、当該端末２から転送され、端末２Ｂの受信部２１がｅＮｏｄｅＢ１Ａから配信された配信情報を受信する。端末２Ｂの位置取得部２４は、これに応じて端末２Ｂの位置を取得する。
【００７１】
端末２Ｂの出力制御部２３は、ｅＮｏｄｅＢ１Ｂから配信された配信情報に含まれる、半径Ｌ６を示す情報と、ｅＮｏｄｅＢ１Ｂの位置情報（位置Ｐ２を示す情報）と位置取得部２４によって取得された端末２Ｂの位置とを用いて、端末２Ｂの位置からｅＮｏｄｅＢ１Ｂの配信範囲の外周までの距離Ｌ５を算出する。具体的には、出力制御部２３は、端末２Ｂの位置から位置Ｐ２までの距離Ｌ４から、半径Ｌ６を引くことで距離Ｌ５を算出する。この距離Ｌ５が正の値であれば、端末２ＢがｅＮｏｄｅＢ１Ｂの配信範囲の外に位置することになり、距離Ｌ５が負の値であれば、端末２ＢがｅＮｏｄｅＢ１Ｂの配信範囲の中に位置することになる。
【００７２】
そして、出力制御部２３は、受信履歴情報を参照し、ｅＮｏｄｅＢ１Ａから配信された配信情報に含まれる、半径Ｌ２を示す情報と、ｅＮｏｄｅＢ１Ａの位置情報（位置Ｐ１を示す情報）と位置取得部２４によって取得された端末２Ｂの位置とを用いて、端末２Ｂの位置からｅＮｏｄｅＢ１Ａの配信範囲の外周までの距離Ｌ３を算出する。具体的には、出力制御部２３は、端末２Ｂの位置から位置Ｐ１までの距離Ｌ１から、半径Ｌ２を引くことで距離Ｌ３を算出する。
【００７３】
出力制御部２３は、距離Ｌ５が距離Ｌ３よりも短い場合、ｅＮｏｄｅＢ１Ｂから配信された配信情報を出力する。一方、距離Ｌ５が距離Ｌ３以上である場合、ｅＮｏｄｅＢ１Ｂから配信された配信情報を出力しない。図６に示す例では、距離Ｌ５の方が距離Ｌ３より大きいので、出力制御部２３は、配信情報を出力しないようにする。このように、端末２は、自端末から各ｅＮｏｄｅＢ１の配信範囲の外周までの距離に基づいて、配信情報を出力するか否かを判断することにより、自端末の位置からｅＮｏｄｅＢ１の配信範囲まで遠いにも関わらず、当該ｅＮｏｄｅＢ１から配信された配信情報を出力してしまう可能性を低減することができる。特に、各ｅＮｏｄｅＢ１の配信範囲がそれぞれ異なる場合（特に一方の配信範囲が他方の配信範囲より極端に大きい場合）に、出力制御部２３は、適切に配信情報を出力するか否かを判断することができる。なお、上記の例の場合、距離Ｌ５が距離Ｌ３以下である場合に、ｅＮｏｄｅＢ１Ｂから配信された配信情報を出力するようにしてもよい。また、配信範囲情報として、配信範囲の外周を定義した情報（例えば、当該外周の位置情報の集合）をｅＮｏｄｅＢ１が送信するようにしてもよい。この場合、出力制御部２３は、自端末の位置と配信範囲の外周との距離を算出し、上記図６に示した例のように配信情報を出力するか否かを判断することができる。
【００７４】
また、出力制御部２３は、上述のように自端末の位置と配信範囲の外周との距離により配信情報を出力するか否かを判断するのではなく、配信範囲に占める自端末の位置と配信範囲の外周との距離の割合により配信情報を出力するか否かを判断するようにしてもよい。例えば、出力制御部２３は、図６における距離Ｌ３／半径Ｌ２と、距離Ｌ５／半径Ｌ６とをそれぞれ第１の位置関係、第２の位置関係として算出し、当該第１の位置関係と第２の位置関係との比較により、自端末が配信範囲からどの程度の割合で離れているかを算出して、後に受信した配信情報に対応する割合が小さい場合に、当該配信情報を出力するようにしてもよい。
【符号の説明】
【００７５】
１…ｅＮｏｄｅＢ、２…端末、２１…受信部、２２…記憶部、２３…出力制御部、２４…位置取得部、２５…鳴動部、２６…転送部、１０１…ＣＰＵ、１０２…ＲＡＭ、１０３…ＲＯＭ、１０４…入力装置、１０５…出力装置、１０６…無線通信モジュール、１０７…音波通信モジュール、１０８…補助記憶装置、１０９…ＧＰＳ受信機。
【図１】
0006340336.tif 000002
【図２】
0006340336.tif 000003
【図３】
0006340336.tif 000004
【図４】
0006340336.tif 000005
【図５】
0006340336.tif 000006
【図６】
0006340336.tif 000007